(57)【特許請求の範囲】
【請求項１】
ビスを用いて鼻板に取り付けられる取付ベース部に取付穴を貫設し、内側にビス穴が形成されたビス保持用リングの筒状部を上記取付穴に挿通し、ビス保持用リングの上記筒状部の内側に形成される上記ビス穴の穴径を上記ビスのビス径よりも大きく形成すると共に、ビス保持用リングの上記筒状部の入側端部にビスを遊貫状態で仮保持するための仮止め部を一体に突設し、上記筒状部の断面形状は、上記仮止め部が設けられる入側端部から鼻板側の出側端部に向かって末広がり状に拡大していることを特徴とする軒樋吊具。
【請求項２】
上記仮止め部は、ビス保持用リングの入側端部における相対する２箇所から内側方向に向けて突設され且つ先端がビスのネジ山に噛み合い可能なリブ形状に形成されていることを特徴とする請求項１記載の軒樋吊具。
【発明の詳細な説明】
【技術分野】
【０００１】
本発明は、ビスを用いて鼻板に取り付けられる軒樋吊具に関するものである。
【背景技術】
【０００２】
従来から、図３（ａ）のように軒樋吊具２をビス４を用いて鼻板１に固定することが一般的に知られている（例えば、特許文献１参照）。
【０００３】
ところが従来では、片方の手で吊具本体３の取付ベース部７を鼻板１にあてがいながら、もう片方の手で取付ベース部７に設けたビス穴５にビス４を入れ、ビス４が外れないようにしながらドライバー等の工具でビス締め作業を行う必要があるため、高所での施工がしにくいという問題があった。しかも、通常は、図３（ｂ）のようにビス穴５の穴径Ｂがビス径Ａ（＞Ｂ）よりも大きいため、ビス４がビス穴５から脱落しやすく、落として紛失しやすいという問題もあった。
【特許文献１】特開平９−３２２２０号公報
【発明の開示】
【発明が解決しようとする課題】
【０００４】
本発明は上記の従来の問題点に鑑みて発明したものであって、取付ベース部を鼻板にビス締めする際にビス穴に通したビスを仮保持でき、ビス締め作業を容易に行なえると共に、ビスの脱落や紛失を確実に防止でき、さらに取付ベース部の既存の取付穴に対してビス係止機能を容易に且つ低コストで付加できるようにした軒樋吊具を提供することを課題とするものである。
【課題を解決するための手段】
【０００５】
前記課題を解決するために本発明は、ビス４を用いて鼻板１に取り付けられる取付ベース部７に取付穴５を貫設し、内側にビス穴１３が形成されたビス保持用リング１２の筒状部１２ａを上記取付穴５に挿通し、ビス保持用リング１２の上記筒状部１２ａの内側に形成される上記ビス穴１３の穴径Ｂを上記ビス４のビス径Ａよりも大きく形成すると共に、ビス保持用リング１２の入側端部１２ｃにビス４を遊貫状態で仮保持するための仮止め部６を一体に突設し、上記筒状部１２ａの断面形状は、上記仮止め部６が設けられる入側端部１２ｃから鼻板１側の出側端部１２ｂに向かって末広がり状に拡大していることを特徴としている。
【０００６】
このような構成とすることで、ビス４をビス保持用リング１２のビス穴１３に遊貫した状態で仮止め部６により仮保持できるので、仮止め部６によるビス係止機能によって、施工者は高所における作業のし難い場所においてビス４を指で摘んで保持する必要がなくなる。従って、片方の手で軒樋吊具２の取付ベース部７を鼻板１にあてがいながら、もう片方の手でドライバー等の工具を持って締め込み操作を行うのみでビス締め作業が楽にできると共に、ビス締めの際にビス４の抜け落ちや紛失を確実に防止できるようになる。さらに、取付ベース部７の取付穴５に別部材のビス保持用リング１２を挿通するだけで容易にビス係止機能を付加できるようになる。また、仮止め部６はビス保持用リング１２に一体成形されているので、仮止め部６の形成に手間やコストがかからない利点もある。
【０００７】
また上記仮止め部６は、ビス保持用リング１２の入側端部１２ｃにおける相対する２箇所から内側方向Ｃに向けて突設され且つ先端６ａがビス４のネジ山４ａに噛み合い可能なリブ形状に形成されているのが好ましく、この場合、２箇所から突設するリブ形状の仮止め部６によってビス４を若干の自由度を持って遊貫状態で仮保持できるようになるので、ビス４の仮保持の度合いを安定させることができ、さらに仮止め部６はビス穴１３の入側端部１２ｃから内側方向Ｃに向けて突出しているので、ビス４の締め込み深さを仮止め部６を利用して一定に維持できるようになる。
【発明の効果】
【０００８】
本発明は、鼻板に取り付けられる取付ベース部の取付穴に、仮止め部を有するビス保持用リングを挿通することにより、仮止め部によるビス係止機能によって高所でのビス締め作業が楽にできると共にビスの落下、紛失を防止できるものであり、さらに、取付ベース部の取付穴にビス保持用リングを挿通するだけで、既存の取付ベース部に対してビス係止機能を容易に付加でき、施工性が向上するものである。また仮止め部はビス保持用リングに一体成形されているので、仮止め部の形成に手間やコストがかからない利点もある。
【０００９】
また上記仮止め部は、ビス保持用リングの入側端部における相対する２箇所から内側方向に向けて突設され且つ先端がビスのネジ山に噛み合い可能なリブ形状に形成されているので、ビスの仮保持の度合いを安定させることができると共に、仮止め部を利用してビスの締め込み深さを一定に維持でき、さらに仮止め部の外観意匠性を良好にできるものである。
【発明を実施するための最良の形態】
【００１０】
以下、本発明を添付図面に示す実施形態に基いて説明する。
【００１１】
本実施形態では、図２に示すように、軒先の鼻板１の前方（屋外側）に軒樋（図示せず）を配設すると共に、軒樋を軒樋吊具２を介して鼻板１に固定している。
【００１２】
軒樋を吊り下げ支持する軒樋吊具２は、ポリカーボネート等の樹脂材料からなる吊具本体３の前面の上端部に前耳係止部８が設けられ、後面の下端部に後耳係止部９が設けられている。軒樋を吊具本体３の下方に配置して軒樋の前耳部を吊具本体３の前耳係止部８に引っ掛けた状態で軒樋の後耳部を吊具本体３の後耳係止部９に引っ掛けることにより、吊具本体３を鼻板１に先に固定し、その後で軒樋の後付けが可能となっている。また吊具本体３の後端側には、鼻板１に固定される取付ベース部７が設けられていると共に、取付ベース部７の下方には、軒樋の後面に当たる当接部１１が突設され、この当接部１１によって軒樋のがたつきを防止できるようにしている。
【００１３】
上記軒樋吊具２の取付ベース部７を鼻板１に固定するためのビス４は、図１（ａ）に示すように、外周にネジ山４ａを有する軸部４ｂと、軸部４ｂの基端側に設けられた頭部４ｃと、軸部４ｂの先端側に設けられたドリル部４ｄとを有している。
【００１４】
ここで本発明においては、取付ベース部７の複数箇所に取付穴５が貫設されている。各取付穴５内にはビス保持用リング１２がそれぞれ嵌めこまれている。各ビス保持用リング１２は、例えば樹脂成形品からなり、取付穴５に挿通される筒状部１２ａを備えており、筒状部１２ａの内側がビス穴１３となっている。ビス穴１３の穴径Ｂはビス径Ａよりも大きく設定されていると共に、筒状部１２ａの断面形状は、入側端部１２ｃ（軒側）から出側端部１２ｂ（鼻板１側）に向かって末広がり状に拡大している。
【００１５】
上記ビス保持用リング１２は、取付穴５の背後（鼻板１側）から嵌め込まれている。ビス保持用リング１２の出側端部１２ｂは取付ベース部７の背面７ｂに当接するフランジ形状に形成されており、出側端部１２ｂが取付ベース部７の背面７ｂに当接した状態で筒状部１２ａが取付穴５内に圧入されている。
【００１６】
また、上記ビス保持用リング１２の入側端部１２ｃは取付ベース部７の前面７ａから前方に若干突出して配置される。入側端部１２ｃにはビス４を遊貫状態で仮保持するための仮止め部６が一体に突設されている。本例の仮止め部６は、ビス穴１３の入側端部１２ｃにおける相対する２箇所から内側方向Ｃに向けて突設されていると共に、図１（ｂ）に示すように、一対の仮止め部６の先端６ａ間の距離fをビス径Ａより小さく設定してあり、これにより仮止め部６の先端６ａがビス４のネジ山４ａに噛み合い可能となっている。さらに本例の仮止め部６の断面形状は、先端６ａにいくほど薄肉となるリブ形状に形成されていると共に、仮止め部６はビス穴１３の内周方向に沿った円弧状に形成されている。この仮止め部６は左右２箇所の切欠部１０によって上下に分断されている。
【００１７】
しかして、ビス締めの際には、予め図１（ａ）のようにビス４の軸部４ｂをビス保持用リング１２のビス穴１３に遊貫させるだけでビス係止機能が得られるので、施工者は高所における作業のし難い場所においてビス４を指で摘んで保持する必要がなくなり、片方の手で吊具本体３の取付ベース部７を鼻板１にあてがいながら、もう片方の手でドライバー等の工具を持ってビス締め操作を行うのみでビス締め作業が楽にできるようになる。また、鼻板１が仮りに傾斜鼻板であってビス４が斜め下向きになる場合であっても、ビス４の抜け落ちを確実に防止できるものとなる。この結果、ビス締め作業時にビス４の落下、紛失を防止できる。そのうえ取付ベース部７の取付穴５に別部材のビス保持用リング１２を挿通するだけで容易にビス係止機能を付加できるようになるので、施工性が大幅に向上するものである。
【００１８】
また上記ビス保持用リング１２に一体に設けられる一対の仮止め部６の先端６ａをそれぞれビス４のネジ山４ａに噛み合うリブ形状としたので、ビス４を確実に仮保持できるものであり、しかも一対の仮止め部６をビス穴１３の全周に設けずに、切欠部１０で分断しているので、一対の仮止め部６がそれぞれ弾性変形可能となってビス４が仮止め部６に固く嵌まり込んでしまうことがなく、仮止め部６に対して若干の自由度を持って遊貫状態で仮保持されることとなる。しかも各仮止め部６はビス穴１３の内周方向に沿って円弧状に形成されているので、ビス４が仮止め部６から切欠部１０に入り込むようなことがなく、ビス４の仮保持の度合いを安定させることができる。さらに上記のように仮保持されたビス４をドライバーで回転させると、ビス４のネジ山４ａが仮止め部６に噛み合った状態でビス４がビス穴１３の奥に押し込まれて先端の尖鋭部４ｄが鼻板１にねじ込まれていき、ビス４の頭部４ｃが仮止め部６に当たった段階で図２のように取付ベース部７が鼻板１にビス固定された状態となる。これにより仮止め部６によってビス４の締め込み深さを一定に維持できるので、確実な固定状態が得られ、施工の信頼性を向上させることができる。
【００１９】
しかも、上記一対の仮止め部６はそれぞれビス穴１３の内側方向Ｃに突設しているので、各仮止め部６がビス穴１３の前方に大きく突出することがなくなり、仮止め部６の外観上の納まりが良好となる。そのうえ仮止め部６はビス保持用リング１２に一体成形されているので、仮止め部６の形成に手間やコストがかからない利点もある。
【００２０】
前記実施形態では樹脂製の軒樋吊具を例示したが、勿論これに限らず、金属製の軒樋吊具にも広く適用できるものである。
【図面の簡単な説明】
【００２１】
【図１】本発明の一実施形態を示し、（ａ）はビスを取付ベース部のビス穴に仮保持した状態を説明する側面断面図であり、（ｂ）は（ａ）の矢印Ｄから見たビス穴の背面図である。
【図２】同上の吊具本体を鼻板に固定した状態の側面断面図である。
【図３】（ａ）は従来の吊具本体を鼻板に固定した状態の側面断面図であり、（ｂ）はビスを吊具本体の取付ベース部のビス穴に挿入する状態の説明図である。
【符号の説明】
【００２２】
１  鼻板
２  軒樋吊具
４  ビス
４ａ  ネジ山
５  取付穴
６  仮止め部
７  取付ベース部
１２  ビス保持用リング
１２ｃ  入側端部
１３  ビス穴
Ｃ  内側方向
【図１】
0004548382.tif 000002
【図２】
0004548382.tif 000003
【図３】
0004548382.tif 000004